(57)【特許請求の範囲】
【請求項１】
筐体と、
前記筐体に収容された発光部と、
前記筐体における前記発光部の光軸上に設けられた貫通孔と、
前記貫通孔の内部において前記発光部の上方に設けられ、前記光軸に直交する底面を有する装飾部材と、
前記筐体の外部から前記装飾部材を通じて前記発光部が露呈しないように前記発光部を隠蔽する隠蔽層と、
前記貫通孔の内周面を覆うとともに前記装飾部材を介して囲むように設けられた枠部材と、
前記枠部材における前記筐体の内側から外側に向かって先細りに形成された第１錐面と、を備え、
前記第１錐面は、前記発光部側の第１開口の最小径寸法が前記装飾部材の平面最大寸法よりも大きいとともに、前記第１開口とは反対側の第２開口の最小径寸法が前記装飾部材の平面最大寸法よりも小さい電子機器。
【請求項２】
請求項１に記載の電子機器において、
前記第１錐面が、前記装飾部材に対して空隙を介して配置されているとともに、当該第１錐面の回転軸線に対して０度を超えて４５度未満に配向されている電子機器。
【請求項３】
請求項１または請求項２に記載の電子機器において、
前記枠部材が、前記第１錐面よりも外側に配置された第２錐面を有し、
前記第２錐面が、前記発光部側の第３開口よりも前記第３開口とは反対側の第４開口が大きい拡開形状とされ、かつ、当該第２錐面の回転軸線に対して０度を超えて４５度未満に配向されている電子機器。
【発明の詳細な説明】
【技術分野】
【０００１】
本発明は、筐体の貫通孔の内部に装飾部材が設けられ、装飾部材に発光部から照射し、装飾部材に入射した光を屈折させて外部に投光させて装飾部材の輝度を確保するように構成された電子機器に関する。
【背景技術】
【０００２】
電子機器として、第１筐体（下側筐体）および第２筐体（上側筐体）がヒンジ部を介して使用状態（開状態）と携帯状態（閉状態）との間で回動自在に連結された携帯端末が知られている。
第２筐体の内部に発光部（ＬＥＤ）が収容され、第２筐体の表面に石を見立てた装飾部材（イルミネーションレンズ）が設けられ、この装飾部材が発光部の光軸上に配置されている。
【０００３】
発光部は三原色（Ｒ系、Ｇ系、Ｂ系）のＬＥＤを有する。装飾部材は、発光部からの光を透過させる透明または半透明の合成樹脂により形成されている。
発光部、すなわち三原色（Ｒ系、Ｇ系、Ｂ系）のＬＥＤから装飾部材の背面に光を当て、背面から入射したＲ系、Ｇ系、Ｂ系の三原色を装飾部材の内部で屈折させ、屈折させた光を装飾部材の外部に投光させることにより装飾部材の輝度を確保して良好な意匠性が得られる（例えば、特許文献１）。
【先行技術文献】
【特許文献】
【０００４】
【特許文献１】特開２００６−１１３１６６号公報（段落００４１、要約、段落００６１、図８）
【発明の概要】
【発明が解決しようとする課題】
【０００５】
しかしながら、特許文献１の電子機器は、装飾部材の背面に発光部から光を当て、装飾部材の内部で屈折させて装飾部材を宝石のように見せるために、装飾部材を透明または半透明とする必要がある。
このため、発光部の消灯時に、すなわち発光部から装飾部材の背面に光を当てていないときに、装飾部材を通して発光部が露呈してしまい、外観性の観点から改良の余地が残されていた。
【０００６】
本発明は、前述した課題を解決するためになされたものであり、その目的は、発光部の点灯時に装飾部材の輝度を確保でき、さらに、発光部の消灯時に装飾部材を通して内部構造が見えることを防止できる電子機器を提供することにある。
【課題を解決するための手段】
【０００７】
本発明の第１の態様に係る電子機器は、筐体と、前記筐体に収容された発光部と、前記筐体における前記発光部の光軸上に設けられた貫通孔と、前記貫通孔の内部において前記発光部の上方に設けられ、前記光軸に直交する底面を有する装飾部材と、前記筐体の外部から前記装飾部材を通じて前記発光部が露呈しないように前記発光部を隠蔽する隠蔽層と、前記貫通孔の内周面を覆うとともに前記装飾部材を介して囲むように設けられた枠部材と、前記枠部材における前記筐体の内側から外側に向かって先細りに形成された第１錐面と、を備え、前記第１錐面は、前記発光部側の第１開口の最小径寸法が前記装飾部材の平面最大寸法よりも大きいとともに、前記第１開口とは反対側の第２開口の最小径寸法が前記装飾部材の平面最大寸法よりも小さい。
【０００８】
また、本発明の第２の態様に係る電子機器は、前記第１錐面が、前記装飾部材に対して空隙を介して配置されているとともに、当該第１錐面の回転軸線に対して０度を超えて４５度未満に配向されている。
【０００９】
さらに、本発明の第３の態様に係る電子機器は、前記枠部材が、前記第１錐面よりも外側に配置された第２錐面を有し、前記第２錐面が、前記発光部側の第３開口よりも前記第３開口とは反対側の第４開口が大きい拡開形状とされ、かつ、当該第２錐面の回転軸線に対して０度を超えて４５度未満に配向されている。
【発明の効果】
【００１０】
本発明の第１の態様に係る電子機器によれば、筐体の外部から装飾部材を通じて発光部が露呈しない位置、すなわち、装飾部材の直下に隠蔽層を設け、隠蔽層で発光部を隠蔽するようにした。
このように、装飾部材の直下に隠蔽層を設けることにより、発光部が消灯していても外部から発光部が露呈することを防いで外観性を阻害しないようにできるという効果を有する。
【００１１】
さらに、装飾部材を囲むように枠部材を設け、枠部材に第１錐面を設けた。そして、第１錐面を筐体の内側から外側に向かって先細りに形成した。
よって、発光部の点灯時に、発光部から照射された光を第１錐面で反射させて、反射させた光を装飾部材に入射させることができる。
これにより、装飾部材に入射させた光を装飾部材の内部で屈折させ、屈折させた光を装飾部材の外部に投光させることにより装飾部材の輝度を確保して良好な意匠性が得られるという効果を有する。
【００１２】
ここで、装飾部材の取付公差により、装飾部材および枠部材間の空隙を装飾部材の全周において均一に確保し難いことが考えられる。この場合、装飾部材の全周に形成された空隙から照射される光にばらつきが生じる。
しかし、本発明によれば、空隙から照射された光を発光部に入射させ、装飾部材に入射させた光を装飾部材の内部で屈折させて外部に投光（拡散）させることができる。
これにより、空隙から照射された光のばらつきを目立たないようにできるので一層良好な意匠性が得られるという効果を有する。
【００１３】
加えて、第１錐面のうち、第２開口の最小径寸法を装飾部材の平面最大寸法よりも小さくした。
これにより、装飾部材の保持が筐体から外れた場合でも、筐体の外部に装飾部材が脱落することを防いで、装飾部材を紛失・誤飲する虞がないという効果を有する。
【００１４】
また、本発明の第２の態様に係る電子機器によれば、第１錐面を装飾部材に対して空隙を介して配置し、第１錐面の配向を第１錐面の回転軸線に対して０度を超えて４５度未満にした。
第１錐面の配向を０度を超えて４５度未満にすることにより、第１錐面を発光部に好適に対峙させるとともに装飾部材に好適に対峙させることができる。
【００１５】
よって、発光部から投光された光を第１錐面で確実に受光し、受光した光を第１錐面で装飾部材に向けて反射させ、反射させた光を装飾部材に確実に照射できる。
これにより、装飾部材に入射させた光を装飾部材の内部で一層良好に屈折させて、装飾部材の輝度を一層好適に確保できるという効果を有する。
【００１６】
さらに、本発明の第３の態様に係る電子機器によれば、第１錐面より外側に第２錐面を設け、第２錐面の配向を第２錐面の回転軸線に対して０度を超えて４５度未満にした。
第２錐面の配向を０度を超えて４５度未満にすることにより、第２錐面を筐体の外部側に好適に対峙させるとともに装飾部材に好適に対峙させることができる。
【００１７】
よって、筐体の外部からの外光を第２錐面で確実に受光し、受光した外光を第２錐面で装飾部材に向けて反射させ、反射させた外光を装飾部材に確実に照射できる。
これにより、装飾部材に入射させた外光を装飾部材の内部で良好に屈折させて、装飾部材の輝度を好適に確保できるという効果を有する。
【図面の簡単な説明】
【００１８】
【図１】本発明に係る電子機器の第１実施形態における使用状態（開状態）を示す斜視図
【図２】図１の電子機器の携帯状態（閉状態）を示す斜視図
【図３】図１の電子機器の要部を示す分解斜視図
【図４】図３のＩ部拡大図
【図５】図２のＩＩ−ＩＩ線断面図
【図６】図５のＩＩＩ部拡大図
【図７】第１実施形態の電子機器において発光部の点灯時に装飾部材の輝度を確保する例を説明する断面図
【図８】第１実施形態の電子機器において発光部の消灯時に装飾部材の輝度を確保する例を説明する断面図
【図９】本発明に係る電子機器の第２実施形態を示す断面図
【発明を実施するための形態】
【００１９】
以下、本発明の実施形態に係る電子機器について図面を参照して説明する。
（第１実施形態）
図１に示すように、本発明の第１実施形態である電子機器１０は、第１筐体１１および第２筐体（筐体）１２がヒンジ部１３を介して使用状態（開状態）と携帯状態（閉状態）との間で回動自在に連結された携帯端末である。
【００２０】
第１筐体１１は、略矩形体状の箱形に形成され、裏面１１Ａに操作部１６を備えている。
第２筐体１２は、略矩形体状の箱形に形成されたケース１７と、ケース１７の開口部１７Ａを塞ぐカバー１８とを備えている。
ケース１７の開口部１７Ａをカバー１８で塞ぐことにより、第２筐体１２の内部に密閉空間２３（図５参照）を備えている。
ケース１７の裏面１７Ｂに表示部１９およびレシーバ２１が設けられている。
レシーバ２１は、振動板（図示せず）を有し、例えば通話中に受信した音声を発生する機器である。
【００２１】
図２に示すように、カバー１８には、複数の貫通孔２５が形成されている。
貫通孔２５に装飾部材２７が設けられることにより、装飾部材２７の上面２７Ａが貫通孔２５から第２筐体１２の外部に露出されている。
【００２２】
図３に示すように、第２筐体１２は、内部に回路基板３１、複数の発光部３２、アクリルベース３３、複数の隠蔽層３４（図５参照）、複数の装飾部材２７および枠部材３６が収容され、カバー１８における発光部３２の光軸３８（図５参照）上の部位に貫通孔２５が設けられている。
【００２３】
図４に示すように、回路基板３１に複数の発光部３２が設けられ、複数の発光部３２の上方にアクリルベース３３が設けられている。
発光部３２は、回路基板３１の表面３１Ａに実装されることによりカバー１８の貫通孔２５に向けて照射可能に配置されたＬＥＤである。
この発光部３２は、例えばメール・通話の送着信時等に点灯・点滅する機器である。
【００２４】
アクリルベース３３は、外形が平面視で略矩形状に形成され、発光部３２から投光された光を透過可能な透明または乳白状の部材であって、複数の発光部３２の各光軸３８上に載置部位３３Ａ（図５参照）が形成されている。
複数の載置部位３３Ａに装飾部材２７の底面２７Ｂが隠蔽層３４を介して（図５参照）が設けられている。
【００２５】
図５に示すように、隠蔽層３４は、装飾部材２７の底面２７Ｂに設けられている。
この隠蔽層３４は、発光部３２の光軸３８上に載置されることにより発光部３２を上方から覆うことができる。
隠蔽層３４の上面３４Ａに装飾部材２７が設けられている。
隠蔽層３４は、一例として、透光性がない層であり、第２筐体１２の外部から装飾部材２７を通じて（通して）発光部３２が露呈しないように発光部３２を隠蔽する層である。
【００２６】
装飾部材２７の底面２７Ｂに隠蔽層３４を設けることにより隠蔽層３４で発光部３２を第２筐体１２の外部から目視できないように隠蔽できる。
これにより、発光部３２が消灯していても第２筐体１２の外部から発光部３２が露呈することを防いで電子機器１０の外観性を阻害しないようにできる。
【００２７】
装飾部材２７は、発光部３２の光軸３８上に設けられ、例えば、発光部３２からの光を透過させる透明または半透明の合成樹脂により略円錐台形状に形成され（図４も参照）、イルミネーションレンズが例示される。
この装飾部材２７は、貫通孔２５の内部において発光部３２の上方に設けられ、発光部３２の光軸３８に直交する底面２７Ｂを有する。
装飾部材２７の底面２７Ｂに隠蔽層３４が設けられている。
【００２８】
なお、装飾部材２７は、発光部３２に対して隠蔽層３４により隠蔽されているので、アクリルベース３３により拡散された光が第１錐面４６で反射し、結果的に所望の機能が得られる。
従って、光軸３８と発光部３２の軸とが同一線に沿っていなくともよい。
【００２９】
枠部材３６は、アクリルベース３３の上方に設けられ、発光部３２から投光された光を反射可能とする半透過蒸着（半透明）な部材であって、複数の発光部３２の各光軸３８上に装飾孔４１が形成されている。
この枠部材３６は、貫通孔２５の内周面２５Ａを覆うとともに装飾部材２７を介して囲むように設けられている。
【００３０】
具体的には、枠部材３６がカバー１８の貫通孔２５に収納された状態で、枠部材３６の外周段部３６Ａが貫通孔２５（内周面２５Ａ）の内周段部２５Ｂに係止されるとともに、枠部材３６の底部３６Ｂが支持プレート４３を介してアクリルベース３３に支持されている。
よって、カバー１８の貫通孔２５に収納された状態で枠部材３６が保持されている。
【００３１】
図６に示すように、枠部材３６の装飾孔４１は円形に形成され、装飾孔４１に装飾部材２７が同軸上に収容されている。
装飾孔４１の内面４１Ａは、第２筐体１２の内側から外側に向かって先細りに形成された第１錐面４６と、第１錐面４６よりも外側に配置されるとともに第２筐体１２の内側から外側に向かって拡開（拡径）するように形成された第２錐面４８とを有している。
【００３２】
第１錐面４６は、一例として、略円錐台形状の装飾部材２７に所定間隔をおいて対峙するように円錐形状に形成されている。
この第１錐面４６は、発光部３２側の第１開口４６Ａの最小径寸法Ｄ１が装飾部材２７の平面最大寸法Ｄ２よりも大きいとともに、第１開口４６Ａとは反対側の第２開口４６Ｂの最小径寸法Ｄ３が装飾部材２７の平面最大寸法Ｄ２よりも小さくなるように形成されている。
【００３３】
よって、発光部３２の点灯時に、発光部３２から照射された光を第１錐面４６で反射させて、反射させた光を装飾部材２７に入射させることができる。
これにより、装飾部材２７に入射させた光を装飾部材２７の内部で屈折させ、屈折させた光を装飾部材２７の外部に投光させることにより装飾部材２７の輝度を確保して良好な意匠性が得られる。
【００３４】
さらに、第１錐面４６は、装飾部材２７に対して空隙５１を介して配置されているとともに、第１錐面４６の回転軸線（光軸）３８に対して傾斜角度θ１に配向されている。
換言すれば、第１錐面４６は、発光部３２から空隙５１を通じて入射する光の光軸３８に対して傾斜角度θ１に配向されている。
傾斜角度θ１は、０度を超えて４５度未満に設定されている。
【００３５】
第１錐面４６の傾斜角度θ１を０度を超えて４５度未満にすることにより、第１錐面４６を発光部３２に好適に対峙させるとともに装飾部材２７に好適に対峙させることができる。
よって、発光部３２から投光された光を第１錐面４６で確実に受光し、受光した光を第１錐面４６で装飾部材２７に向けて反射させ、反射させた光を装飾部材２７に確実に照射できる。
これにより、装飾部材２７に入射させた光を装飾部材２７の内部で良好に屈折させて、装飾部材２７の輝度を一層好適に確保できる。
【００３６】
加えて、第１錐面４６のうち、第２開口４６Ｂの最小径寸法Ｄ３を装飾部材２７の平面最大寸法Ｄ２よりも小さくした。
これにより、装飾部材２７の保持が第２筐体１２から外れた場合でも、第２筐体１２の外部に装飾部材２７が脱落することを第２開口４６Ｂで防いで装飾部材２７を紛失・誤飲する虞がない。
【００３７】
第２錐面４８は、一例として、第１錐面４６と同様に円錐形状に形成されている。
この第２錐面４８は、発光部３２側の第３開口４８Ａの最小径寸法Ｄ４が装飾部材２７の平面最大寸法Ｄ２よりも小さくなるように形成されるとともに、第３開口４８Ａとは反対側の第４開口４８Ｂの最小径寸法Ｄ５が第３開口４８Ａの最小径寸法Ｄ４よりも大きくなるように形成されている。
【００３８】
なお、第３開口４８Ａは、第２開口４６Ｂと同じ位置を示す。
よって、第３開口４８Ａの最小径寸法Ｄ４は、第２開口４６Ｂの最小径寸法Ｄ３と同一となる。
【００３９】
第２錐面４８は、発光部３２側の第３開口４８Ａよりも第３開口４８Ａとは反対側の第４開口４８Ｂが大きい拡開形状とされ、かつ、第２錐面４８の回転軸線（光軸）３８に対して傾斜角度θ２に配向されている。
換言すれば、第２錐面４８は、第２筐体１２の外部から空隙５２を通じて入射する外光の光軸３８に対して傾斜角度θ２に配向されている。
傾斜角度θ２は、０度を超えて４５度未満に設定されている。
【００４０】
第２錐面４８の傾斜角度θ２を０度を超えて４５度未満にすることにより、第２錐面４８を第２筐体１２の外部側に好適に対峙させるとともに装飾部材２７に好適に対峙させることができる。
よって、第２筐体１２の外部からの外光を第２錐面４８で確実に受光し、受光した外光を第２錐面４８で装飾部材２７に向けて反射させ、反射させた外光を装飾部材２７に確実に照射できる。
これにより、装飾部材２７に入射させた外光を装飾部材２７の内部で良好に屈折させて、装飾部材２７の輝度を好適に確保できる。
【００４１】
次に、発光部３２の点灯時に装飾部材２７の輝度を確保する例を図７に基づいて説明する。
発光部３２の点灯時に、発光部３２から矢印Ａのように照射された光を第１錐面４６で反射させて、反射させた光を装飾部材２７に矢印Ｂのように入射させる。
そして、装飾部材２７に入射させた光を装飾部材２７の内部で屈折させる。
このように、屈折させた光を装飾部材２７の上面２７Ａから外部に矢印Ｃのように投光させることにより装飾部材２７の輝度を確保でき、良好な意匠性が得られる。
【００４２】
ここで、装飾部材２７の取付公差により、装飾部材２７の全周に形成された空隙５１から照射される光にばらつきが生じることが考えられる。
そこで、空隙５１から照射された光を発光部３２に入射させ、装飾部材２７に入射させた光を装飾部材２７の内部で屈折させて上面２７Ａから外部に投光（拡散）させるようにした。
これにより、隠蔽層３４と装飾部材２７の全周との間にできる取付公差による隙間（バラツキ）に光を通し、その後、空隙５１を抜けて光を第１錐面４６に反射させ、装飾部材２７に光を入り込ませて内部で屈折させる。
このため、装飾部材２７の取付公差による光のバラツキが目立たない様にでき、一層良好な意匠性が得られる。
【００４３】
さらに、枠部材３６を半透過蒸着（半透明）な部材とすることにより、発光部３２から投光された光がアクリルベース３３を経由して枠部材３６を矢印Ｄ方向に透過して第２筐体１２の外部に照射させることができる。
【００４４】
次いで、発光部３２の消灯時に装飾部材２７の輝度を確保する例を図８に基づいて説明する。
発光部３２の点灯時に、第２筐体１２の外部から外光が矢印Ｅのように第２錐面４８に向けて照射される。外光を第２錐面４８で反射し、反射した外光を第２錐面４８で装飾部材２７に向けて矢印Ｆのように反射させて装飾部材２７に照射する。
【００４５】
装飾部材２７に入射させた外光を装飾部材２７の内部で良好に屈折させる。
このように、屈折させた光を装飾部材２７の上面２７Ａから外部に矢印Ｇのように投光させることにより装飾部材２７の輝度を確保でき、良好な意匠性が得られる。
【００４６】
次に、第２実施形態を図９に基づいて説明する。
なお、第２実施形態において第１実施形態の電子機器１０と同一類似部材については同じ符号を付して説明を省略する。
【００４７】
（第２実施形態）
第２実施形態の電子機器６０は、第１実施形態の装飾孔４１を装飾孔６１に代えたもので、その他の構成は第１実施形態の電子機器１０と同様である。
装飾孔６１は、内面６１Ａに第１錐面６３、第２錐面６４および第３錐面６５を有する。
【００４８】
第１錐面６３は、第１実施形態の第１錐面４６と同様に、第２筐体１２の内側から外側に向かって先細りに形成された錐面である。
第３錐面６５は、第２錐面６４よりも外側に配置されるとともに、第１実施形態の第２錐面４８と同様に、第２筐体１２の内側から外側に向かって拡開（拡径）するように形成された錐面である。
第２錐面６４は、第１錐面４６および第２錐面４８間に設けられ、一例として、円筒形状に形成された面を例示するが、第２錐面６４の形状は適宜変更が可能である。
【００４９】
第２実施形態の電子機器６０によれば、第１実施形態の電子機器１０と同様の効果を得ることができる。
【００５０】
なお、本発明に係る電子機器は、前述した実施形態に限定されるものではなく適宜変更、改良等が可能である。
例えば、第１実施形態および第２実施形態では、装飾部材２７を略円錐台形状とした例について説明したが、これに限らないで、装飾部材２７を略角錐形状、略円錐形状や略球形状等の他の形状に形成することも可能である。
【００５１】
また、第１実施形態および第２実施形態では、装飾部材２７を透明または半透明の合成樹脂とした例について説明したが、これに限らないで、装飾部材２７を不透明とすることも可能である。
【００５２】
さらに、第１実施形態では、第１錐面４６および第２錐面４８を円錐形状に形成した例について説明したが、これに限らないで、第１錐面４６および第２錐面４８を装飾部材２７の形状と相似形状とする必要はなく、角錐形状等の他の形状に形成することも可能である。
【００５３】
また、第１実施形態および第２実施形態では、隠蔽層３４を装飾部材２７の底面２７Ｂに設けた例について説明したが、これに限らないで、隠蔽層３４をアクリルベース３３の載置部位３３Ａに設けることも可能である。
【００５４】
さらに、第１実施形態および第２実施形態では、隠蔽層３４を透光性がない層とした例について説明したが、これに限らないで、隠蔽層３４としてハーフミラーを用いることも可能である。
隠蔽層３４としてハーフミラーを用いることにより発光部３２から投光された光を装飾部材２７に入射させることが可能になる。
また、装飾部材２７を透光性がない部材とすることにより、装飾部材２７の底面２７Ｂに隠蔽層３４を設ける必要がない。
【００５５】
また、第１実施形態では、第１錐面４６および装飾部材２７間に空隙５１を形成した例について説明したが、これに限定するものではない。
例えば、装飾部材２７に透光性を有することにより、第１錐面４６を装飾部材２７に密着させても、発光部３２から投光された光を装飾部材２７に入射させて装飾部材２７の輝度を確保できる。
【００５６】
さらに、第１実施形態および第２実施形態で使用した電子機器、第２筐体、カバー、貫通孔、装飾部材、発光部、隠蔽層、枠部材、第１錐面、第２錐面および空隙等の形状や構成は例示したものに限定するものではなく適宜変更が可能である。
【産業上の利用可能性】
【００５７】
本発明は、筐体の貫通孔の内部に装飾部材が設けられ、装飾部材に発光部から照射した光を装飾部材の内部で屈折させて外部に投光するように構成された電子機器への適用に好適である。
【符号の説明】
【００５８】
１０，６０  電子機器
１２  第２筐体（筐体）
１８  カバー
２５  貫通孔
２５Ａ  貫通孔の内周面
２７  装飾部材
２７Ｂ  装飾部材の底面
３２  発光部
３４  隠蔽層
３６  枠部材
３８  回転軸線（光軸）
４６，６３  第１錐面
４６Ａ  第１開口
４６Ｂ  第２開口
４８，６４  第２錐面
４８Ａ  第３開口
４８Ｂ  第４開口
５１  空隙
Ｄ１  第１開口の最小径寸法
Ｄ２  装飾部材の平面最大寸法
Ｄ３  第２開口の最小径寸法
Ｄ４  第３開口の最小径寸法
Ｄ５  第４開口の最小径寸法
【図１】
0005219310.tif 000002
【図２】
0005219310.tif 000003
【図３】
0005219310.tif 000004
【図４】
0005219310.tif 000005
【図５】
0005219310.tif 000006
【図６】
0005219310.tif 000007
【図７】
0005219310.tif 000008
【図８】
0005219310.tif 000009
【図９】
0005219310.tif 000010